(57)【要約】【課題】  交換式のカートリッジを取り外したときに生じる写真フイルムの巻き弛みを防止する。【解決手段】  外装ユニット１１には、カートリッジ１２が交換可能に取り付けられている。カートリッジ１２には、パトローネ付き写真フイルムが予め装填され、フイルム移送機構及びフイルムカウンタ機構が内蔵されている。フイルム移送機構は、パトローネ２５に設けたスプール２７をフイルム巻き上げ方向に回転して撮影済みの写真フイルム２６をパトローネ２５の内部に収納していく。スプール２７には、パトローネ２５から突出した外周に回転板４２が固定され、回転板４２の外周に設けたローレット歯には逆転防止爪４８が係合している。【選択図】        図２
2005266331.tif 000002
【特許請求の範囲】
【請求項１】
写真フイルムの一端が接続されたスプールを回転自在に設けたパトローネが装填されるパトローネ収納室と、
パトローネから引き出した未露光の写真フイルムを収納するフイルム収納室と、
前記フイルム収納室とパトローネ収納室との間を繋いで写真フイルムに展延部分を形成するフイルム支持部の前面に設けられた、１コマ分の露光を与えるための露光用開口と撮影レンズやフイルム巻き上げ機構を設けた外装ユニットに着脱自在に取り付けたときに開き位置に移動して前記撮影レンズから入射する被写体光を前記露光用開口に入射させ、また、前記外装ユニットから取り外したときには閉じ位置に移動して前記露光用開口への光の入射を阻止する遮蔽板とを有するブリッジ部と、
前記スプールのフイルム巻き上げ方向とは逆の方向への回転を阻止する逆転防止手段と、を備えたことを特徴とするカートリッジ。
【請求項２】
前記逆転防止手段は、前記パトローネ収納室内でスプールと一緒に回転するように前記パトローネから突出したスプールの一部に固定され、外周に歯列が形成された回転板と、前記パトローネ収納室の内壁から弾性自在に突出し、先端が前記歯列の一部に係合して前記スプールの逆転を防止する逆転防止爪とから構成されていることを特徴とする請求項１記載のカートリッジ。
【請求項３】
写真フイルムの一端が接続されたスプールを回転自在に設けたパトローネが装填されるパトローネ収納室と、パトローネから引き出した未露光の写真フイルムを収納するフイルム収納室と、前記フイルム収納室とパトローネ収納室との間を繋いで写真フイルムに展延部分を形成するフイルム支持部の前面に設けられた１コマ分の露光を与えるための露光用開口と、前記パトローネ収納室内で前記スプールに係合して撮影済みのフイルムをパトローネ内に巻き上げるフイルム巻き上げ方向とは逆の方向への前記スプールの回転を阻止する逆転防止手段とを有したカートリッジに着脱自在に取り付けて撮影を行うことを特徴とするカートリッジ交換式カメラ。
【発明の詳細な説明】
【技術分野】
【０００１】
本発明は、予め未露光の写真フイルムを収納するカートリッジ及びそのカートリッジを使用するカートリッジ交換式カメラに関するものである。
【背景技術】
【０００２】
従来、１３５タイプの写真フイルムを収納したカートリッジを、簡単な撮影機構を組み込んだユニット本体に組み立て時に装填し、撮影完了後に現像所に全てを提出してカートリッジを取り出すレンズ付きフイルムユニットが知られている（特許文献１）。
【０００３】
カートリッジは、パトローネ収納室、フイルム収納室、及びブリッジ部とを持っている。パトローネ室にはパトローネが装填され、フイルム収納室にはパトローネから引き出した未露光の写真フイルムがロール形態で収納されている。ブリッジ部には、パトローネ収納室とフイルム収納室との間を繋いでフイルムに展延部分を形成し、この展延部分の前面に１コマ分の露光を与える露光用開口を設けている。このようなカートリッジをユニット本体に固定してレンズ付きフイルムユニットを作る。レンズ付きフイルムユニットでは、シャッタレリーズ操作後に巻き上げノブをフイルム巻き上げ方向に操作することでパトローネのスプールを巻き上げ方向に回転して、撮影済みの写真フイルムをパトローネの内部に収納していく。
【０００４】
また、ユニット本体には、フイルム巻き上げ操作のときに操作する巻き上げノブと、逆転防止爪とが設けられている。巻き上げノブには、フイルム巻き上げ方向に回転される。逆転防止爪は、巻き上げノブが逆転されると不都合が生じるため、巻き上げノブの逆転を防止する（特許文献２）。
【０００５】
ところで、前述したレンズ付きフイルムユニットでは、カートリッジとともにユニット本体までも回収しているが、資源の有効利用を考慮した場合には、ユニット本体を１度の使用だけでなく繰り返し利用することが好ましい。また、リサイクルすることも考えられるが、リサイクルでは組み立て装置とは別に分解装置などが必要になり設備投資が必要になる。そこで、ユニット本体は回収せずにカートリッジのみを回収して、ユニット本体を継続して使用することが望まれている。
【０００６】
【特許文献１】特公平７−１１７７０７号公報
【特許文献２】特開平６−８２９７９号公報
【発明の開示】
【発明が解決しようとする課題】
【０００７】
このようにカートリッジを交換式にすると、撮影途中でカートリッジを交換することも可能となり、例えばサイズの異なるフイルムに撮影途中で交換することができるため簡便である。ところが、カートリッジをユニット本体に取り付けているときには、巻き上げノブの逆転が防止されているため、パトローネ内でスプールに写真フイルムが巻き締まっているが、カートリッジを取り外すと、巻き上げノブとスプールとの係合が解除されるため、写真フイルムがスプールから弛んでしまう。これにより、再びユニット本体に取り付けたときには、フイルム巻き上げ操作に時間がかかったり、最悪の場合撮影コマとアパーチャーとの位置がずれて撮影コマ同士が重なってしまう不都合が生じる。
【０００８】
本発明は、撮影途中で交換しても、スプールへの写真フイルムの巻き付き形態が変わらないように工夫したカートリッジ及びカートリッジ交換式カメラを提供することを目的とする。
【課題を解決するための手段】
【０００９】
前記目的を達成するために、本発明のカートリッジでは、写真フイルムの一端が接続されたスプールを回転自在に設けたパトローネが装填されるパトローネ収納室と；パトローネから引き出した未露光の写真フイルムを収納するフイルム収納室と；前記フイルム収納室とパトローネ収納室との間を繋いで写真フイルムに展延部分を形成するフイルム支持部の前面に設けられた、１コマ分の露光を与えるための露光用開口と、撮影レンズやフイルム巻き上げ機構を設けた外装ユニットに着脱自在に取り付けたときに開き位置に移動して前記撮影レンズから入射する被写体光を前記露光用開口に入射させ、また、前記外装ユニットから取り外したときには閉じ位置に移動して前記露光用開口への光の入射を阻止する遮蔽板とを有するブリッジ部と；前記スプールのフイルム巻き上げ方向とは逆の方向への回転を阻止する逆転防止手段と；を備えたものである。
【００１０】
本発明のカートリッジによれば、外装ユニットに取り付けて撮影をするごとに、フイルム巻き上げ機構によりスプールをフイルム巻き上げ方向に回転して撮影済みの写真フイルムをパトローネの内部に収納していくとともに、外装ユニットから取り外したときには、逆転防止手段によりスプールに巻回された撮影済みの写真フイルムの巻き緩みを阻止することができる。
【００１１】
逆転防止手段としては、パトローネ収納室内でパトローネから突出したスプールに固定され、スプールと一緒に回転する回転板と、パトローネ収納室の内壁から弾性自在に突出し、先端が回転板の外周に設けた歯列の一部に係合してスプールの逆転を防止する逆転防止爪とから構成するのが望ましい。
【発明の効果】
【００１２】
本発明のカートリッジでは、スプールに巻回された撮影済みの写真フイルムの巻き緩みを阻止する逆転防止手段を設けたから、撮影途中のものを外装ユニットに取り付けてフイルム巻き上げ操作を行ったときに、スプールに撮影済みの写真フイルムが巻き弛みなく巻回されているから、その回転が直ぐにスプールを介して写真フイルムに伝達される。このため、フイルム巻き上げ操作が短時間で行える。また、撮影途中で外装ユニットから取り外しても、スプールに撮影済みの写真フイルムが巻き弛みなく巻回されているから、露光用開口に対して写真フイルムの位置がずれることがない。さらに、このようなカートリッジを使用するカメラの発明に対しては、逆転防止手段を設ける必要がないのでローコスト化を図ることができる。
【発明を実施するための最良の形態】
【００１３】
カートリッジ交換式カメラ１０は、図１に示すように、外装ユニット１１とカートリッジ１２とから構成されている。外装ユニット１１には、上面には外部にカウンタ窓１３とシャッタボタン１４が、また、背面には巻き上げノブ１５とファインダ接眼窓とが、さらに前面にはストロボ発光窓１６、ファインダ対物窓１７、撮影窓１８、及びストロボ充電ボタン２０がそれぞれ露呈して設けられている。カウンタ窓１３は、素通し開口となっている。外装ユニット１１の底面には、カートリッジ１２を受け入れる挿入用開口１９が設けられている。その挿入用開口１９の内部は、図２にも示すように、カートリッジ１２の高さ方向のうちの下の一部を残して残りの全部が外装ユニット１１に入り込む深さの凹部１９ａとなっている。
【００１４】
カートリッジ１２は、パトローネ収納室２１、フイルム収納室２２、及びブリッジ部２３を持っており、１３５タイプのパトローネ付き写真フイルム２４を暗室状態で収納している。パトローネ収納室２１には、１３５タイプのパトローネ２５が収納される。フイルム収納室２２は、パトローネ２５から全部引き出した未露光の写真フイルム２６をロール形態で収納している。なお、フイルム収納室２２にスプール２７と平行な軸を回転自在に設け、軸の周りに未露光の写真フイルム２６を巻回した形態で収納してもよい。
【００１５】
パトローネ収納室２１の上には、パトローネ２５のスプール２７の端部に設けた係合穴２８が露呈している。カートリッジ１２は、このスプール２７の軸方向に沿って外装ユニット１１に着脱される。パトローネ収納室２１の底には、開閉自在な蓋２９が設けられている。蓋２９は、カートリッジ１２から撮影済みの写真フイルムを収納したパトローネ２５を取り出すときに開かれる。
【００１６】
ブリッジ部２３には、露光用開口（アパーチャー）３０、暗箱、開口３２、及び遮蔽板３１（図１参照）が設けられている。露光用開口３０は、フイルム収納室２２とパトローネ収納室２１との間を繋いで写真フイルム２６に展延部分を形成するフイルム支持部の前面に設けられており、１コマ分の露光を与えるための開口である。また、遮蔽板３１は、ブリッジ部２３の前に配されており、開口３２を遮蔽している。暗箱は開口３２と露光用開口３０との間に配されている。暗箱は、開口３２から入射する被写体光を露光用開口３０に導く。
【００１７】
遮蔽板３１は、外装ユニット１１に対してカートリッジ１２を着脱する着脱方向に移動自在となっており、カートリッジ１２を外装ユニット１１に取り付けることに連動して開口３２を露呈する開き位置に移動し、また、カートリッジ１２を外装ユニット１１から外すことに連動して開口３２を閉じる閉じ位置に移動する。
【００１８】
また、カートリッジ１２には、スプール逆転防止機構、フイルムカウンタ機構、及びチャージ駆動伝達機構などが設けられている。スプール逆転防止機構は、回転板４２と逆転防止爪４８とからなる。回転板は、パトローネ２５から上方に突出したスプール２７の外周に頑固に入り込む穴を有し、パトローネ収納室２１の内部でスプール２７と一緒に回転する。回転板４２の外周には、ローレット歯が形成されている。逆転防止爪４８は、パトローネ収納室２１の内壁から突出して形成されて先端が弾性自在となっており、その先端が回転板４２のローレット歯に係合してスプール２７のフイルム巻き上げ方向への回転を許容し、かつ、その逆方向であるフイルム送り出し方向に回転しないようにしている。
【００１９】
フイルムカウンタ機構は、写真フイルム２６のパーフォレーション３３に係合するスプロケット３４の回転を利用して撮影ごとに枚数表示板３５を一歩進する。枚数表示板３５は、カートリッジ１２の上面に設けた窓３６から外部に露呈されている。チャージ駆動伝達機構は、スプロケット３４の回転を内歯ギヤ３７に伝達する。カートリッジ１２の上面には、内歯ギヤ３７を露呈する穴３８が設けられている。チャージ駆動伝達機構は、外装ユニット１１に取り付けたときに、内歯ギヤ３７にカートリッジ１２に設けたギヤ歯付き駆動軸３９が連結され、フイルム移送力をシャッタチャージ力として外装ユニット１１に伝達する。なお、スプロケット３４から内歯ギヤや枚数表示板３５への駆動伝達機構は、ギヤ列などで構成されているが、図２には図面の煩雑化を防ぐために省略している。
【００２０】
外装ユニット１１には、撮影窓１８から露呈される撮影レンズ４０（図１参照）、内部上方にフイルム巻き上げ機構４１、シャッタ機構、シャッタチャージ機構４３、フイルム巻き止め機構４４、ファインダ光学系４５、ストロボユニット４６、電源電池４９、及び遮蔽板移動機構などが内蔵されている。撮影レンズ４０の背後には固定絞りが配されており、固定絞りの背後には詳しくは後述するシャッタ羽根が設けられている。フイルム巻き上げ機構４１は、巻き上げノブ１５で構成されている。巻き上げノブ１５には駆動軸４７が設けられており、駆動軸４７はカートリッジ１２が取り付けられたときにスプール２７の係合穴２８に入り込んで係合する。
【００２１】
フイルム巻き止め機構４４は、外装ユニット１１の内部上方に内蔵され、フイルム１コマ分の長さに相当するスプロケット３４の回転量を、ギヤ歯付き駆動軸３９から得られる回転を利用して検知し、検知することに連動してギヤ歯付き駆動軸３９と巻き上げノブ１５との回転をロックするとともに、シャッタレリーズ又はシャッタ機構の動作完了に応答して前記ロックを解除する。シャッタチャージ機構４３は、外装ユニット１１の内部上方に内蔵され、ギヤ歯付き駆動軸３９の回転を利用してシャッタチャージを行い、シャッタレリーズに応答してシャッタチャージを開放する。シャッタ機構は、シャッタチャージ機構４３のチャージ力を利用して撮影光軸を横切るようにシャッタ羽根を一往復揺動し、固定絞りを開閉する。シャッタ羽根の背後には、シャッタ開口が設けられている。このシャッタ開口は、カートリッジ１２を取り付けたときにカートリッジ１２の開口３２に対峙する。遮蔽板移動機構は、カートリッジ１２の挿入力を利用して遮蔽板３１を開き位置に移動する。ファインダ光学系４５はファインダ対物窓と接眼窓との間に配されている。
【００２２】
ストロボユニット４６は、外装ユニット１１の内部上方右に内蔵されており、ストロボ充電ボタン２０の操作に応答して昇圧回路によって予め内蔵した電源電池４９の電圧を昇圧し、この高電圧出力によってトリガ用コンデンサ及びメインコンデンサを充電する。トリガ用コンデンサの二次側にはトリガ電極板が接続されており、トリガ電極はシャッタ羽根の開放時にシンクロスイッチがシンクロしたときに放電管にトリガ信号を与える。この瞬間に放電管はメインコンデンサに蓄えられた電荷によって放電する。放電管から放たれた光は、反射傘などで反射する光を含めてストロボ発光窓１６から外部に放出されて被写体を照明する。電源電池４９は、外装ユニット１１の凹部１９ａの隣に設けた電池収納室５０に長手方向をスプール１７の軸に平行にして内蔵されており、外装ユニット１１の底面のうちの開口１９の隣に設けた蓋５１を外すことで交換することができる。
【００２３】
カメラ１０は、カートリッジ１２を取り付けた形態で提供されており、また、カートリッジ１２は、交換用として単体で提供されている。このカートリッジ１２は、遮蔽板３１によって開口３２が遮蔽されており、１３５タイプのパトローネ付き写真フイルム２４を遮光状態で収納している。カートリッジ１２の上面には、窓３６が設けられ、窓３６を通して枚数表示板３５の目盛りが露呈されている。この目盛りを窓３６を通して見て未使用か途中撮影かの状態を識別することができる。さらに、回転板４２がスプール２７の逆転を防止している。このため撮影途中のカートリッジ１２であっても、スプール２７に撮影済みの写真フイルム２６を巻き締めた状態で保持しており、撮影コマがアパーチャーからズレる位置ズレなどの不都合を防止することができる。
【００２４】
カートリッジ１２を外装ユニット１１の底面の挿入用開口１９からスプール２７の軸方向に沿って挿入して外装ユニット１１に取り付ける。この挿入の途中で、遮蔽板移動機構がカートリッジ１２の挿入力を利用して遮蔽板３１を開き位置に移動する。そして、カートリッジ１２が外装ユニット１１の挿入用開口１９の内部のうちの上壁に当接することで取り付けが完了する。
【００２５】
取り付け完了後には、カートリッジ１２の開口３２がシャッタ開口に対峙し、開口３２と露光用開口３０との中心を結ぶ直線上に撮影光軸が一致する。また、外装ユニット１１のカウンタ窓１３は、カートリッジ１２の挿入方向に対して窓３６に対峙する位置に設けられている。取り付け完了後には、カートリッジ１２の窓３６が外装ユニット１１のカウンタ窓１３の奥に位置する。また、取り付け時には、カートリッジ１２に設けた穴３８に外装ユニット１１に設けたギヤ歯付き駆動軸３９が挿入方向に沿って挿入され、内歯ギヤ３７にギヤ歯付き駆動軸３９が係合する。
【００２６】
カートリッジ１２の取り付けが完了した後には、巻き上げノブ１５をフイルム巻き上げ方向に回転する。巻き上げノブ１５の回転はスプール２７に伝達され、スプール２７はフイルム巻き取り方向に回転する。このとき、撮影途中で交換したカートリッジ１２を使用している場合、逆転防止爪４８の作用によりスプール２７に撮影済みの写真フイルム２６が巻き締まっているため、写真フイルム２６が直ぐにパトローネ２５の内部に巻き取られる。このフイルム移送力は、スプロケット３４により回転力に変換され、内歯ギヤ３７、ギヤ歯付き駆動軸３９を介してフイルム巻き止め機構４４に伝達される。よって、逆転防止爪４８の作用により、フイルム巻き上げ操作を短時間で行える。
【００２７】
フイルム巻き止め機構４４は、フイルム１コマ分の長さに対応した回転を検知したときに、ギヤ歯付き駆動軸３９と巻き上げノブ１５との回転をロックする。したがって、巻き上げノブ１５の操作を継続し、回転がロックされると、最初の撮影コマが露光用開口３０にセットされた状態となる。この間、シャッタチャージ機構４３がシャッタチャージを完了しており、また、カートリッジ１２のフイルムカウンタ機構もスプロケット３４の回転を利用して枚数表示板３５を一歩進させている。
【００２８】
巻き上げ操作完了後には、ファインダを通してフレーミングを行った後に、シャッタレリーズを行う。シャッタレリーズが行われると、それに応答してシャッタ機構が動作して露光が行われる。シャッタ機構の動作完了後、すなわち露光完了後には、フイルム巻き止め機構４４が巻き上げノブ１５及びギヤ歯付き駆動軸３９との回転ロックを解除する。これにより、次回のフイルム巻き上げが行える。
【００２９】
その後は、前述したようにフイルム巻き上げ操作を行ってからシャッタレリーズを行って撮影をしてゆく。そして、最後の撮影コマに撮影を完了した後には、カウンタ窓１３には残り枚数が無い旨が表示がされる。これにより、使用者は、カートリッジ１２の写真フイルム２６に対して撮影完了したことを把握することができる。
【００３０】
使用後には、カートリッジ１２を取り外す。この作業は、外装ユニット１１の下部に露呈しているカートリッジ１２の一部を持って下方に引き抜けば容易に行える。取り外したカートリッジ１２は、現像所に提出される。外装ユニット１１は、そのまま次の撮影時に使用し、カートリッジ１２は、新たに購入する。次回の撮影は、新たなカートリッジ１２を外装ユニット１１に取り付けて行う。
【００３１】
なお、外装ユニット１１には、カートリッジ１２の取り外しに連動してシャッタチャージ機構のチャージを開放するチャージ開放機構が設けられている。というのは、シャッタチャージ機構をチャージ状態にした外装ユニット１１に、巻き上げ未完了のカートリッジ１２をセットした場合、二重露光が行われてしまうためである。
【００３２】
現像所では、スプール２７をフイルム巻き上げ方向に回転して写真フイルム２６の全てをパトローネ２５に収納してから、カートリッジ１２の底の蓋２９を開けてパトローネ２５を取り出す。そのパトローネ２５はフイルム現像装置にセットされ、収納されている撮影済みの写真フイルムが現像処理される。得られた現像済みの写真フイルムはプリンタにセットされ、プリンタは現像済みの写真フイルムからプリント写真を作成する。出来上がったプリント写真は現像済みの写真フイルムとともにユーザーに返却される。パトローネ２５を取り出したカートリッジ１２は、工場に回収され、新たなパトローネ付き写真フイルム２４を収納して提供される。
【００３３】
上記実施形態では、回転板４２と逆転防止爪４８とでスプールの逆転防止機構を構成しているが、本発明ではこれに限らず、ラチェット機構など周知の機構を用いても良い。また、パトローネ収納室２１の内部ではなく、パトローネ収納室２１の外部、例えばカートリッジの外表に逆転防止爪４８を設けてその先端でスプール２７の逆転を防止する構成としてもよい。さらに、パトローネ付き写真フイルムとしては、１３５タイプのものを使用しているが、ＩＸ２４０タイプやブローニーフイルムなども使用することができる。
【図面の簡単な説明】
【００３４】
【図１】カートリッジ交換式カメラを示す斜視図である。
【図２】外装ユニットにカートリッジを取り付けた状態のカートリッジ交換式カメラの断面図である。
【符号の説明】
【００３５】
１０  カートリッジ交換式カメラ
１１  外装ユニット
１２  カートリッジ
２７  スプール
４２  回転板
４８  逆転防止爪
【図１】
2005266331.tif 000003
【図２】
2005266331.tif 000004